(57)【要約】【課題】光通信の送信速度が異なる複数の照明器具からの光に含まれる識別情報を端末装置で読み取る際の時間を最適に設定できる照明器具の識別情報特定方法を提供する。【解決手段】識別情報を光通信によって送信する際の送信速度が異なる複数の照明器具について端末装置を用いて識別情報を特定する方法であって、端末装置の受光部で、光通信を行っている照明器具から出射された光を受光し（Ｓ１０）、受光部によって受光された光出力パターンに基づいて、端末装置の制御部で当該照明器具の送信速度を特定し（Ｓ１４）、端末装置の制御部で、端末装置の受光部により光通信に含まれる識別情報を含む１周期分の光ＩＤ信号を読み取るための受光時間を、特定された送信速度による１周期分の光ＩＤ信号の時間に設定する（Ｓ１６）。【選択図】図４
2020098744.tif 000002
【特許請求の範囲】
【請求項１】
識別情報を光通信によって送信する際の送信速度が異なる複数の照明器具について、受光部及び制御部を備えた端末装置を用いて前記識別情報を特定する方法であって、
前記端末装置の受光部で、光通信を行っている照明器具から出射された光を受光し、
前記受光部によって受光された光出力パターンに基づいて、前記端末装置の制御部で当該照明器具の送信速度を特定し、
前記端末装置の制御部で、前記端末装置の受光部により前記光通信に含まれる識別情報を含む１周期分の光ＩＤ信号を読み取るための受光時間を、前記特定された送信速度による１周期分の光ＩＤ信号の時間に設定する、
照明器具の識別情報特定方法。
【請求項２】
前記１周期分の光ＩＤ信号は、プリアンブルフレームと、データフレームと、ストップフレームとを順に含み、前記端末装置の制御部は、前記プリアンブルフレームの送信時間に基づいて前記光出力パターンの送信速度を特定する、請求項１に記載の照明器具の識別情報特定方法。
【請求項３】
前記プリアンブルフレームは、複数の照明器具における送信速度の違いに拘わらず、所定の光強弱パターンを有している、請求項２に記載の照明器具の識別情報特定方法。
【請求項４】
識別情報を光の強弱によって送信する際の送信速度が異なる複数の照明器具と、
受光部及び制御部を有し、前記照明器具から出射された光出力パターンを前記受光部で受光して前記制御部に伝送する端末装置と、を備え、
前記端末装置の制御部は、前記受光部によって受光された光出力パターンに基づいて当該照明器具の送信速度を特定し、前記光通信に含まれる識別情報を含む１周期分の光ＩＤ信号を前記受光部で読み取るための受光時間を、前記特定された送信速度による１周期分の光ＩＤ信号の時間に設定する、
照明システム。
【請求項５】
前記１周期分の光ＩＤ信号は、プリアンブルフレームと、データフレームと、ストップフレームとを順に含み、前記端末装置の制御部は、前記プリアンブルフレームの送信時間に基づいて前記光出力パターンの送信速度を特定する、請求項４に記載の照明システム。
【請求項６】
前記プリアンブルフレームは、複数の照明器具における送信速度の違いに拘わらず、所定の光強弱パターンを有している、請求項５に記載の照明システム。
【発明の詳細な説明】
【技術分野】
【０００１】
本開示は、照明器具の識別情報特定方法、及び、照明システムに関する。
【背景技術】
【０００２】
特許文献１には、照明制御システムが開示されている。この照明制御システムは、照明器具、制御ユニット及び制御端末を備えている。制御ユニットは、照明器具から放射される光の照明としての制御条件を維持しながら光の強弱を変化させることにより、照明器具から識別情報を送信させる。また、制御ユニットは、照明器具を表す識別情報を制御端末が受信すると、制御端末が受信した照明情報に基づいて、照明器具から放射される光を調節する。
【先行技術文献】
【特許文献】
【０００３】
【特許文献１】特開２０１７−１６２８０２号公報
【発明の概要】
【発明が解決しようとする課題】
【０００４】
特許文献１に記載の照明制御システムでは、照明器具から放射される光に含まれる識別情報を携帯端末で受信し、その識別情報に基づいて照明器具を特定して、特定された照明器具に対して制御信号を送信することにより当該照明器具について調光等の制御を行う。このとき、複数の照明器具が同じ部屋や施設に設置されている場合、各照明器具について識別情報をそれぞれ特定する必要があるが、各照明器具は光通信を行うための専用回路を備えておらず点灯、消灯、調光などを行う電源回路を備えているだけの場合、電源回路を構成する電気部品の特性により識別情報の送信速度が照明器具によって異なる場合がある。
【０００５】
本開示の目的は、複数の照明器具が光通信によって識別情報を送信する際の送信速度が異なる場合に、各照明器具からの光に含まれる識別情報を端末装置で読み取る際の時間をそれぞれ最適に設定することができる、照明器具の識別情報特定方法及び照明システムを提供することにある。
【課題を解決するための手段】
【０００６】
本開示の一態様である照明器具の識別情報特定方法は、識別情報を光通信によって送信する際の送信速度が異なる複数の照明器具について、受光部及び制御部を備えた端末装置を用いて識別情報を特定する方法であって、端末装置の受光部で、光通信を行っている照明器具から出射された光を受光し、受光部によって受光された光出力パターンに基づいて、端末装置の制御部で当該照明器具の送信速度を特定し、端末装置の制御部で、端末装置の受光部により光通信に含まれる識別情報を含む１周期分の光ＩＤ信号を読み取るための受光時間を、特定された送信速度による１周期分の光ＩＤ信号の時間に設定する。
【０００７】
本開示の別態様である照明システムは、識別情報を光の強弱によって送信する際の送信速度が異なる複数の照明器具と、受光部及び制御部を有し、照明器具から出射された光出力パターンを受光部で受光して制御部に伝送する端末装置と、を備える。端末装置の制御部は、受光部によって受光された光出力パターンに基づいて当該照明器具の送信速度を特定し、光通信に含まれる識別情報を含む１周期分の光ＩＤ信号を受光部で読み取るための受光時間を、特定された送信速度による１周期分の光ＩＤ信号の時間に設定する。
【発明の効果】
【０００８】
本開示に係る照明器具の識別情報特定方法及び照明システムによれば、複数の照明器具が光通信によって識別情報を送信する際の送信速度が異なる場合に、各照明器具からの光に含まれる識別情報を端末装置で読み取る際の時間をそれぞれ最適に設定することができる。したがって、多数の照明器具が設置されている場合でも各照明器具の識別情報の特定を迅速に行うことができる。
【図面の簡単な説明】
【０００９】
【図１】一実施形態である照明システムの全体構成図である。
【図２】（ａ），（ｂ）は照明器具に備えられた電源回路をそれぞれ例示する図である。
【図３】（ａ），（ｂ），（ｃ）は送信速度が異なる３つの光ＩＤ信号の１周期分の光出力パターンを例示する図である。
【図４】スマートフォンにおいて実行される処理を示すフローチャートである。
【図５】（ａ），（ｂ）は複数の照明器具のグループ設定手順を模式的に示す図である。
【図６】６つの照明器具が３つのグループに設定されている部屋の模式図である。
【図７】図６に示した６つの照明器具が３つのグループに設定されている照明制御用テーブルを示す図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は、一実施形態である照明システム１０の全体構成図である。照明システム１０は、複数の照明器具Ｌ１，Ｌ２，・・・，Ｌｎ（ここでｎは３以上の整数）と、照明制御装置１２と、端末装置の一例であるスマートフォン１４とを備える。
【００１２】
複数の照明器具Ｌ１，Ｌ２，・・・，Ｌｎは、例えば、住宅の部屋の天井や壁などに設置されている。各照明器具Ｌ１，Ｌ２，・・・，Ｌｎは、それぞれ、通信部２０、制御部２２、及び、光源２４を備えている。
【００１３】
照明器具Ｌ１，Ｌ２，・・・，Ｌｎの通信部２０は、照明制御装置１２との間で無線通信を行う機能を有する。通信部２０と照明制御装置１２との間の通信方式には、例えば、ブルートゥース（ＢｌｕｅＴｏｏｔｈ（登録商標））が好適に用いられる。
【００１４】
照明器具Ｌ１，Ｌ２，・・・，Ｌｎの制御部２２は、照明制御装置１２から制御信号等に基づいて光源２４の点灯状態を制御する機能を有する。光源２４の点灯状態には、点灯、調光、調色、消灯などの動作状態が含まれる。光源２４は、例えば、ＬＥＤ等によって好適に構成される。光源２４は、制御部２２によって電力供給などが制御されることで、点灯、調光、調色、消灯などの動作状態が変更される。
【００１５】
また、各照明器具Ｌ１，Ｌ２，・・・，Ｌｎの制御部２２は記憶部を有しており、記憶部に照明器具Ｌ１，Ｌ２，・・・，Ｌｎに割り当てられた固有の識別情報が予め記憶されている。この識別情報は、例えば、アドレス番号、シリアル番号等であってもよい。制御部２２は、固有の識別情報を含む光出力パターンで光源２４からの発光を強弱制御（又は点滅制御）することができる。図１に示す例では、照明器具Ｌ１は、固有の識別情報を含む光出力パターン１で発光することが可能であり、照明器具Ｌ２は、固有の識別情報を含む光出力パターン２で発光することが可能である。このような光出力パターンによる情報通信は光ＩＤ通信とも呼ばれ、人間の視覚では認識できないが、スマートフォン１４のカメラ部（受光部）で撮影して解析することによって光出力パターンに含まれる情報を読み取ることができる。
【００１６】
照明制御装置１２は、通信部３０、制御部３２、及び、照明制御用のデータベース３４を備えている。通信部３０は、上述したように各照明器具Ｌ１，Ｌ２，・・・，Ｌｎとの間で無線通信を行う機能を有する。また、通信部３０は、無線ＬＡＮルータ４０を介してスマートフォン１４と無線通信する機能を有する。無線ＬＡＮルータ４０と照明制御装置１２およびスマートフォン１４との間の通信方式には、例えば、Ｗｉ-Ｆｉ（登録商標）が好適に用いられる。
【００１７】
なお、本実施形態では、無線ＬＡＮルータ４０を介して照明制御装置１２とスマートフォン１４が通信する例を示すが、これに限定されるものではない。照明制御装置１２とスマートフォン１４は直接に無線通信を行ってもよく、この場合には無線ＬＡＮルータが省略されてもよい。
【００１８】
照明制御装置１２の制御部３２は、通信部３０を介して照明器具Ｌ１，Ｌ２，・・・，Ｌｎに制御信号を送信することができる。この場合、制御部３２は、複数の照明器具Ｌ１，Ｌ２，・・・，Ｌｎについてグループごとに点灯状態を制御することができる。複数の照明器具Ｌ１，Ｌ２，・・・，Ｌｎについてのグループ設定については後述する。
【００１９】
また、制御部３２は、スマートフォン１４から各照明器具Ｌ１，Ｌ２，・・・，Ｌｎの識別情報を収集する指令を受けた場合、通信部２０を介して各照明器具Ｌ１，Ｌ２，・・・，Ｌｎに識別情報要求信号を送信する。この信号を受信した各照明器具Ｌ１，Ｌ２，・・・，Ｌｎは、通信部２０を介して照明制御装置１２に自己の識別情報を含む信号を通信部２０から送信する。照明制御装置１２の制御部３２は、各照明器具Ｌ１，Ｌ２，・・・，Ｌｎから受信した識別情報信号を無線ＬＡＮルータ４０を介してスマートフォン１４に送信する。
【００２０】
スマートフォン１４は、現在広く普及している携帯可能な端末装置であり、通信部５０、制御部５２、及び、カメラ部（受光部）５４を備えている。通信部５０は、無線ＬＡＮルータ４０を介して照明制御装置１２と通信する。また、通信部５０は、無線ＬＡＮルータ４０からインターネット等の外部通信網６０に接続することができる。スマートフォン１４は、通信部５０を介して外部通信網６０から照明制御用アプリケーションをダウンロードしてインストールすることができる。照明制御用アプリケーションは、例えば、照明システム１０のメーカ等によって提供される。
【００２１】
なお、本実施形態ではスマートフォン１４を端末装置として用いた例について説明するが、これに限定されるものではなく、端末装置として例えば、タブレット、パソコン、専用のリモコンなどが用いられてもよい。
【００２２】
制御部５２は、インストールした照明制御用アプリケーションを実行することによって、照明システム１０に含まれる照明器具Ｌ１，Ｌ２，・・・，Ｌｎの点灯状態を制御することができ、また、後述するように照明器具Ｌ１，Ｌ２，・・・，Ｌｎについて識別情報の特定やグループ設定などを行うことができる。
【００２３】
カメラ部５４は、画像を撮影する機能を有する。カメラ部５４によって撮影された画像は、制御部５２に伝送される。制御部５２は、光ＩＤ信号を含む照明光を出射する照明器具Ｌ１，Ｌ２，・・・，Ｌｎの画像を解析することによって、その光出力パターンに含まれる識別情報を読み取ることができる。制御部５２によって読み取った識別情報は、制御部５２に備えられる記憶部に記憶されるとともに、通信部５０から無線ＬＡＮルータ４０を介して照明制御装置１２のデータベース３４に記憶される。
【００２４】
なお、本実施形態では端末装置がスマートフォンである例について説明するが、これに限定されない。端末装置は、通信部、制御部、操作部及び表示部を有するリモコン装置であってもよく、この場合、リモコン装置は受光部として光検知センサを備えていてもよい。
【００２５】
図２（ａ），（ｂ）は、照明器具Ｌ１，Ｌ２，・・・，Ｌｎに備えられた電源回路の例をそれぞれ示す図である。図２（ａ）に示す電源回路１は、外部電源２１から供給される交流電流を直流電流に変換するＡＣ／ＤＣ変換回路２３と、ＡＣ／ＤＣ変換回路２３から出力される直流電流を平滑化するコンデンサ２５と、ＡＣ／ＤＣ変換回路２３からの直流電流の光源２４への出力を制御する出力部２７ａとを有する。出力部２７ａは、スイッチング素子Ｑ、ダイオードＤ、抵抗器Ｌ及びコンデンサＣを含んで構成されている。スイッチング素子Ｑのゲートには制御部２２が接続されており、制御部２２の光ＩＤ制御ブロックから送信される制御信号に応じてスイッチング素子Ｑがオンオフ制御される。これにより、光源２４に流れる直流電流が変化することで光源２４から放射される光の強弱が変化し、その結果、固有の識別情報を含んだ光ＩＤ信号の送信が行われることになる。図２（ｂ）に示す電源回路２の出力部２７ｂは、光源２４の入力側に２つの抵抗器Ｌ１，Ｌ２が直列に接続されている点において、図２（ａ）に示す電源回路１の出力部２７ａと相違するが、その機能は同様である。
【００２６】
図２（ａ），（ｂ）に示す電源回路１，２では、出力部２７ａ，２７ｂに含まれる抵抗器Ｌ，Ｌ１，Ｌ２及びコンデンサＣの時定数が小さければ光源２４に流れる直流電流の立ち上がり及び立ち下りが急峻に変化し、他方、上記の時定数が大きければ光源２４に流れる直流電流の立ち上がり及び立ち下りが緩やかに変化することになる。このように電源回路の出力部の構成の違いによって光源２４に流れる直流電流の時間的変化が異なってくることで、光ＩＤ信号の送信速度が異なることになり、その結果、同じ内容の１周期分の光ＩＤ信号を送信する場合でも送信に要する時間が照明器具によって異なってくる場合がある。
【００２７】
図３（ａ），（ｂ），（ｃ）は送信速度が異なる３つの光ＩＤ信号の１周期分の光出力パターンを例示する図である。図３（ａ），（ｂ），（ｃ）に示す光出力パターンは簡略化した例が示されている。
【００２８】
図３（ａ），（ｂ），（ｃ）に示すように、１周期分の光ＩＤ信号は、プリアンブルフレームと、データフレームと、ストップフレームとを順に含んでいる。このうち、データフレームに照明器具Ｌ１，Ｌ２，・・・，Ｌｎの識別情報が含まれている。また、ブリアンブルフレームは、光ＩＤ信号の最初の部分を構成しており、図３（ａ）〜（ｃ）に示す例では、送信速度の違いに拘わらず、所定の光強弱パターンを含んでいる。具体的には、例えば、光の「弱」、「強」、「弱」、「強」が連続する４つのフレームで構成され、デジタル信号として見れば「０１０１」の４ビットの信号として表すことができる。後述するように光ＩＤ信号を受信したスマートフォン１４の制御部５２は、光ＩＤ信号のうちプリアンブルフレームの送信時間に基づいて光出力パターンの送信速度を特定することができる。
【００２９】
図３（ａ）に示す光ＩＤ信号１は、送信速度１に対応しており、１周期分の光ＩＤ信号の送信に時間Ｔ１だけ要する。図３（ｂ）に示す光ＩＤ信号２は、送信速度２に対応しており、１周期分の信号送信に時間Ｔ２だけ要する。図３（ｃ）に示す光ＩＤ信号３は、送信速度３に対応しており、１周期分の信号送信に時間Ｔ３だけ要する。ここで、図３（ａ），（ｂ），（ｃ）に示す３つの光ＩＤ信号１，２，３ついて、送信速度１＜送信速度２＜送信速度３の関係となっており、１周期分の光ＩＤ信号の送信に要する時間については送信時間Ｔ１＞送信時間Ｔ２＞送信時間Ｔ３の関係となっている。
【００３０】
このように照明器具Ｌ１，Ｌ２，・・・，Ｌｎによる光ＩＤ信号の送信速度が異なる場合、スマートフォン１４で光ＩＤ信号を受信して識別情報を読み取る場合、本実施形態の照明システム１０では、光ＩＤ信号の送信速度（すなわち１周期分の光ＩＤ信号の送信時間）に応じて、スマートフォン１４による光ＩＤ信号を読み取るための受光時間を設定する。次に、本実施形態における照明器具Ｌ１，Ｌ２，・・・，Ｌｎの識別情報特定方法について、図４を参照して説明する。
【００３１】
図４は、スマートフォン１４において実行される処理を示すフローチャートである。図４に示す処理は、スマートフォン１４の制御部５２において実行され、スマートフォン１４にダウンロードされた照明制御用アプリケーションの一部として含まれても良い。
【００３２】
光ＩＤ通信を行う照明器具Ｌ１，Ｌ２，・・・，Ｌｎについて識別情報の特定を行うとき、図４に示すように、スマートフォン１４の制御部５２は、まずステップＳ１０において、光ＩＤ通信を行う１つの照明器具（Ｌ１〜Ｌｎの何れでも良い）をカメラ部５４で撮影する。このとき、スマートフォン１４の表示部１５（図５参照）に、ユーザにカメラ部５４で照明器具の撮影を行うように促す画面を表示させるのが好ましい。カメラ部５４によって撮影された画像は、制御部５２に随時に伝送される。
【００３３】
次に、スマートフォン１４の制御部５２は、ステップＳ１２において、光ＩＤ信号に含まれるプリアンブルフレームの時間を抽出する。具体的には、制御部５２は、カメラ部５４から伝送された照明器具の画像を解析することによって、光ＩＤ信号の最初に含まれるプリアンブルフレームの時間を計測する。
【００３４】
続いて、スマートフォン１４の制御部５２は、ステップＳ１４において、撮影した照明器具の送信速度を特定する。このとき、制御部５２は、プリアンブルフレームの時間に基づいて照明器具による光ＩＤ信号の送信速度を特定することができる。
【００３５】
次に、スマートフォン１４の制御部５２は、光ＩＤ通信の読み取り時間を設定する。具体的には、プリアンブルフレームの時間に基づいて特定された送信速度から、１周期分の光ＩＤ信号の読み取りに要する時間を導出し、スマートフォン１４のカメラ部５４により光ＩＤ通信に含まれる識別情報を含む１周期分の光ＩＤ信号を読み取るための受光時間として設定する。このようにカメラ部５４による光ＩＤ信号の読み取り時間が設定されると、制御部５２は、プリアンブルフレームの最初からの経過時間が上記のように設定された読み取り時間に達したとき、カメラ部５４による撮影を停止して光ＩＤ信号の読み取りが完了したことを表示部１５に表示させるのが好ましい。
【００３６】
そして、スマートフォン１４の制御部５２は、ステップＳ１８において、読み取った光ＩＤ信号のデータフレームに含まれる照明器具の識別情報を特定する。このように特定された照明器具の識別情報は、スマートフォン１４の制御部５２に備えられる記憶部に記憶され、スマートフォン１４から無線ＬＡＮルータ４０を介して照明制御装置１２に送信されてデータベース３４に記憶される。
【００３７】
上述したような処理順ステップＳ１０〜Ｓ１８を、光ＩＤ通信を行う全ての照明器具Ｌ１，Ｌ２，・・・，Ｌｎについて順次に行うことで、全ての照明器具について識別情報の特定を行うことができる。
【００３８】
上述したように、本実施形態の照明システム１０における照明器具の識別情報特定方法は、識別情報を光通信によって送信する際の送信速度が異なる複数の照明器具Ｌｎについて、受光部及び制御部を備えたスマートフォン１４を用いて識別情報を特定する方法である。スマートフォン１４のカメラ部５４で、光通信を行っている照明器具から出射された光を受光し、カメラ部５４によって受光された光出力パターンに基づいて、スマートフォン１４の制御部５２で当該照明器具の送信速度を特定し、スマートフォン１４の制御部５２で、スマートフォン１４のカメラ部５４により光通信に含まれる識別情報を含む１周期分の光ＩＤ信号を読み取るための受光時間を、上記で特定された送信速度による１周期分の光ＩＤ信号の時間に設定する。これにより、複数の照明器具が光通信によって識別情報を送信する際の送信速度が異なる場合に、各照明器具Ｌ１，Ｌ２，・・・，Ｌｎからの光に含まれる識別情報をスマートフォン１４で読み取る際の時間を最適に設定することができる。したがって、多数の照明器具が設置されている場合でも各照明器具の識別情報の特定を迅速に行うことができる。
【００３９】
本実施形態において、１周期分の光ＩＤ信号は、プリアンブルフレームと、データフレームと、ストップフレームとを順に含み、スマートフォン１４の制御部５２は、プリアンブルフレームの送信時間に基づいて光出力パターンの送信速度を特定するのが好ましい。このようにすれば、光ＩＤ信号の送信速度を迅速に特定して、カメラ部５４による信号読み取り時間の設定を迅速に行うことができる。
【００４０】
この場合、プリアンブルフレームは、複数の照明器具における送信速度の違いに拘わらず、所定の光強弱パターンを有していることが好ましい。このようにすれば、スマートフォン１４の制御部５２において、プリアンブルフレームの特定を簡易かつ確実に行うことができ、その結果、送信速度の特定もまた簡易かつ確実に行うことができる。
【００４１】
なお、上記では光ＩＤ信号のプリアンブルフレームの光強弱パターンが同じであり、プリアンブルフレームの時間に基づいて送信速度を特定する場合について説明したが、これに限定されるものではない。例えば、プリアンブルフレームが送信速度を表す情報を含むように光ＩＤ信号を構成し、スマートフォン１４の制御部５２は、この送信速度情報に基づいて光ＩＤ信号の送信速度を特定してもよい。
【００４２】
次に、図５〜図７を参照して、上述した照明器具の識別情報特定方法を、照明器具のグループ設定に用いる例について説明する。
【００４３】
図５（ａ），（ｂ）は複数の照明器具のグループ設定手順を模式的に示す図である。図６は、６つの照明器具Ｌ１−Ｌ６が３つのグループに設定されている部屋の模式図である。図７は、図６に示した６つの照明器具Ｌ１−Ｌ６が３つのグループに設定されている照明制御用テーブルを示す図である。
【００４４】
複数の照明器具のグループ設定処理は、照明制御用アプリケーションをインストールしたスマートフォン１４の制御部５２において実行される。まず、制御部５２は、図５（ａ）に示すように、光ＩＤ通信を行う第１の照明器具の撮影を実行する。このとき、スマートフォン１４の表示部１５には、グループを設定したい照明器具の選択（すなわちカメラ部５４での撮影）をユーザに促すための画面が表示される。ここでは、第１の照明器具として照明器具Ｌ１が選択された場合を例示する。
【００４５】
カメラ部５４が起動状態にあるスマートフォン１４が照明器具Ｌ１に向けられて「選択」ボタンがタップされると、スマートフォン１４のカメラ部５４は照明器具Ｌ１を撮影して、その画像を制御部５２に伝送する。制御部５２は、照明器具Ｌ１の画像を解析して、その照明光に含まれる光ＩＤ信号から照明器具Ｌ１の固有の識別情報（例えば、アドレス番号等）を特定する。ここでの照明器具Ｌ１の識別情報の特定に、上述した本実施形態の識別情報特定方法が用いられる。
【００４６】
続いて、制御部５２は、光ＩＤ通信を行う第２の照明器具の撮影を実行する。このとき、スマートフォン１４の表示部１５には、図５（ｂ）に示すように、例えば「グループ先の照明器具の選択」と表示して、先に撮影した照明器具Ｌ１をどのグループに設定したいかをユーザに選択させる。ここでは、ユーザが先に撮影した照明器具Ｌ１を、次に選択した照明器具Ｌ２と同じグループとしたいと思っている場合が例示される。
【００４７】
カメラ部５４が起動状態にあるスマートフォン１４が照明器具Ｌ２に向けられて「選択」ボタンがタップされると、スマートフォン１４のカメラ部５４は照明器具Ｌ２を撮影して、その画像を制御部５２に伝送する。制御部５２は、照明器具Ｌ２の画像を解析して、その照明光に含まれる光ＩＤ信号から照明器具Ｌ２の固有の識別情報（例えば、アドレス番号等）と、照明器具Ｌ２の識別情報及びグループ情報を特定する。ここでの照明器具Ｌ２の識別情報の特定にも、上述した本実施形態の識別情報特定方法が用いられる。
【００４８】
具体的には、制御部５２は、照明器具Ｌ２の光ＩＤ信号の解析から照明器具Ｌ２のアドレス番号を特定することができる。また、制御部５２は、解析により取得したアドレス番号を元に制御部５２の記憶部に記憶されている対応表を参照することで照明器具Ｌ２のグループ情報を特定する。この場合、照明器具Ｌ２のグループ情報は未設定または未登録となっている場合、制御部５２は未使用のグループ情報である例えば「Ａ」を照明器具Ｌ２に割り当てる。なお、グループ情報は、アルファベットに限定されるものではなく、数字、記号、数字と記号の組み合わせ等であってもよい。
【００４９】
続いて、制御部５２は、照明器具Ｌ１に、照明器具Ｌ２と同じグループ情報を設定する。具体的には、上記のようにして特定された照明器具Ｌ２のグループ情報「Ａ」と同じグループ情報を照明器具Ｌ１のグループ情報として割り当てる。これにより、先に撮影された照明器具Ｌ１が、次に撮影された照明器具Ｌ２と同じグループに設定される。換言すれば、奇数回目に撮影された照明器具が、次の偶数回目に撮影された照明器具と同じグループに設定される。
【００５０】
このようにして照明器具Ｌ１，Ｌ２について設定されたグループ情報は、スマートフォン１４の通信部５０から無線ＬＡＮルータ４０を介して照明制御装置１２に送信され、照明制御装置１２の照明制御用データベース３４に各照明器具Ｌ１，Ｌ２のシリアル番号に関連付けて記憶される。具体的には、照明制御用データベース３４では、図７に示すように、照明器具Ｌ１，Ｌ２のグループ情報として「Ａ」が設定される。なお、照明制御装置１２の制御部３２は、アドレス番号が特定された照明器具Ｌ１，Ｌ２等に対して論理アドレス（例えば、０〜６３）を割り当ててデータベース３４に記憶してもよい。
【００５１】
続いて、ユーザは、６つの照明器具Ｌ１〜Ｌ６のうち、照明器具Ｌ３，Ｌ６についても同様にグループ設定を行うことができる。具体的には、ユーザは、次にグループ設定したい照明器具Ｌ３をスマートフォン１４のカメラ部５４で撮影し、続いてグループ先として設定したい（すなわち同じグループとして登録したい）照明器具Ｌ６をスマートフォン１４のカメラ部５４で撮影する。この場合、４回目（すなわち偶数回目）に撮影された照明器具Ｌ６はグループ情報が未設定であるため、制御部５２は、未使用のグループ情報として「Ｂ」を照明器具Ｌ６に割り当てる。そして、制御部５２は、このように特定された照明器具Ｌ６と同じグループ情報「Ｂ」を、その前の３回目（すなわち奇数回目）に撮影された照明器具Ｌ３のグループ情報として設定する。
【００５２】
続いて、ユーザは、６つの照明器具Ｌ１〜Ｌ６のうち、残りの照明器具Ｌ４，Ｌ５についても同様にグループ設定を行うことができる。具体的には、ユーザは、次にグループ設定したい照明器具Ｌ４をスマートフォン１４のカメラ部５４で撮影し、続いてグループ先として設定したい（すなわち同じグループとして登録したい）照明器具Ｌ５をスマートフォン１４のカメラ部５４で撮影する。この場合、６回目（すなわち偶数回目）に撮影された照明器具Ｌ５はグループ情報が未設定であるため、制御部５２は、未使用のグループ情報として「Ｃ」を照明器具Ｌ５に割り当てる。そして、制御部５２は、このように特定された照明器具Ｌ４と同じグループ情報「Ｃ」を、その前の５回目（すなわち奇数回目）に撮影された照明器具Ｌ４のグループ情報として設定する。
【００５３】
このようにして、図６に示すように、照明器具Ｌ１，Ｌ２がグループＡに設定され、照明器具Ｌ３，Ｌ６がグループＢに設定され、照明器具Ｌ４，Ｌ５がグループＣに設定される。各照明器具Ｌ１〜Ｌ６は、スマートフォン１４を用いてグループ毎に点灯、消灯、調光等の制御が可能である。上述したようなグループ設定方法によれば、専門知識を有しない一般ユーザ（例えば、住宅の住人など）でも複数の照明器具についてのグループ設定を容易に行うことができる。
【００５４】
図７に示すように、照明器具Ｌ１〜Ｌ６について、照明器具Ｌ１，Ｌ２がグループＡ、照明器具Ｌ３がグループＢ、照明器具Ｌ４，Ｌ５，Ｌ６がグループＣに設定されている場合を考える。これは、照明器具Ｌ６が、図６に示すようにグループＢに設定されるべきところ誤ってグループＣに設定されてしまっている場合である。
【００５５】
このような場合、ユーザは、照明制御用アプリケーションがインストールされているスマートフォン１４を用いて照明器具Ｌ６のグループ設定を次のようにして変更することができる。上述したグループ設定方法と同様にして、照明器具Ｌ６のグループ設定変更を行うことができる。すなわち、ユーザは、１回目の撮影で現在、グループＣの設定となっている照明器具Ｌ６を撮影し、２回目の撮影で移行したいグループ先の照明器具Ｌ３を撮影する。これにより、制御部５２は、照明器具Ｌ６のグループ情報を照明器具Ｌ３と同じグループ情報「Ｂ」に設定し、その結果、照明器具Ｌ６がグループＢに設定変更される。したがって、専門知識を有しない一般ユーザ（例えば、住宅の住人など）でも複数の照明器具についてのグループ設定変更を容易に行うことができる。
【００５６】
なお、本開示は上述した実施形態及びその変形例に限定されるものではなく、本願の特許請求の範囲に記載された事項の範囲内において種々の変更や改良が可能であることは勿論である。
【符号の説明】
【００５７】
１０  照明システム、１２  照明制御装置、１４  スマートフォン（端末装置）、１  ５  表示部、２０  通信部、２１  外部電源、２２，３２，５２  制御部、２４  光源  、２５  コンデンサ、２７ａ，２７ｂ  出力部、３０，５０  通信部、３４  データベ  ース、４０  無線ＬＡＮルータ、５４  カメラ部（受光部）、６０  外部通信網、Ｌ１  〜Ｌｎ  照明器具。
【図１】
2020098744.tif 000003
【図２】
2020098744.tif 000004
【図３】
2020098744.tif 000005
【図４】
2020098744.tif 000006
【図５】
2020098744.tif 000007
【図６】
2020098744.tif 000008
【図７】
2020098744.tif 000009